【手続補正書】
【提出日】平成17年1月31日(2005.1.31)
【手続補正１】
【補正対象書類名】明細書
【補正対象項目名】特許請求の範囲
【補正方法】変更
【補正の内容】
【特許請求の範囲】
【請求項１】
ユーザーごとの遊技媒体の貸し出し数量を記憶する記憶部と、ユーザーごとの遊技媒体の獲得数量を計数する計数部と、遊技媒体の基本数量と景品交換数量とを演算する演算部とを備え、上記演算部は、計数部から入力された特定ユーザーの遊技媒体の獲得数量と、上記記憶部に記憶された上記特定ユーザーの遊技媒体の貸し出し数量を基にして決定する基準値との大小を判定し、その判定結果に基づいて基本数量を算出し、上記獲得数量と上記基本数量との差を上記景品交換数量として算出する遊技媒体管理システム。
【請求項２】
基準値をユーザーの遊技媒体貸し出し数量以下に設定するとともに、演算部は、特定ユーザーの遊技媒体の獲得数量が上記基準値以下のとき、その獲得数量を遊技媒体の基本数量とし、上記特定ユーザーの獲得数量が上記基準値を超えたときには、上記基準値を遊技媒体の基本数量とする請求項１に記載の遊技媒体管理システム。
【請求項３】
演算部は、遊技媒体の基本数量を、貸し出し可能数量としてＩＣチップ入りカードなどの携帯可能な記憶媒体に記憶させるとともに、上記記憶媒体に記憶された貸し出し可能数量の範囲で、遊技媒体を払い出す払い出し手段を備えた請求項１または２に記載の遊技媒体管理システム。
【請求項４】
演算部が算出した遊技媒体の基本数量を貸し出し可能数量としてユーザー特定情報に対応づけて記憶する貸し出し可能数量記憶部と、ユーザー特定情報を検出するとともに上記貸し出し可能数量の範囲で遊技媒体を払い出す払い出し手段を備えた請求項１または２に記載の遊技媒体管理システム。
【請求項５】
プリンタを備え、このプリンタから上記基本数量と上記景品交換数量とを区別して両者を出力する請求項１〜４のいずれか１に記載の遊技媒体管理システム。
【手続補正２】
【補正対象書類名】明細書
【補正対象項目名】０００３
【補正方法】変更
【補正の内容】
【０００３】
【発明が解決しようとする課題】
ユーザーの退店時に、手元に残っている獲得玉数には、はじめに玉貸し金額を支払って借りた玉と、遊技によって新たに獲得した遊技媒体とが含まれることになる。しかし、これらの遊技媒体の区別は付かないので、ユーザーは、全ての獲得玉を一緒にして、その個数に合った景品と交換するか、貯玉をしていた。
【手続補正３】
【補正対象書類名】明細書
【補正対象項目名】０００４
【補正方法】変更
【補正の内容】
【０００４】
ユーザーにとっては、遊技によって新たに獲得した玉と、玉貸し金額を支払って借りた玉とは、種類が異なり、それらを全く同じに扱われることに疑問を感じることもあった。例えば、遊技場側で５％の再プレイ手数料をとっているシステムでは、玉貸し単価４円で１０００円分借りた２５０個の玉を、その場で貯玉したとしても、その貯玉を引き出して遊技する際には、再プレイ手数料を引かれて２３８個の貯玉になってしまうのである。このようなことは、ユーザーにとっては、納得し難い場合もあるが、実際には、玉貸し金額を支払って借りた玉を、新たに獲得した玉と区別することができないため、全て同一に管理していた。
【手続補正４】
【補正対象書類名】明細書
【補正対象項目名】０００６
【補正方法】変更
【補正の内容】
【０００６】
【課題を解決するための手段】
第１の発明は、ユーザーごとの遊技媒体の貸し出し数量を記憶する記憶部と、ユーザーごとの遊技媒体の獲得数量を計数する計数部と、遊技媒体の基本数量と景品交換数量とを演算する演算部とを備え、上記演算部は、計数部から入力された特定ユーザーの遊技媒体の獲得数量と、上記記憶部に記憶された上記特定ユーザーの遊技媒体の貸し出し数量を基にして決定する基準値との大小を判定し、その判定結果に基づいて基本数量を算出し、上記獲得数量と上記基本数量との差を上記景品交換数量として算出する点に特徴を有する。
上記遊技媒体の貸し出し数量、獲得数量、基本数量、基準値は、遊技媒体の個数であっても良いし、対応する金額であっても良い。また、上記基本数量及び上記景品交換数量は、例えば単価を変えて管理することもできる。
【手続補正５】
【補正対象書類名】明細書
【補正対象項目名】０００７
【補正方法】変更
【補正の内容】
【０００７】
第２の発明は、基準値をユーザーの遊技媒体貸し出し数量以下に設定するとともに、演算部は、特定ユーザーの遊技媒体の獲得数量が上記基準値以下のとき、その獲得数量を遊技媒体の基本数量とし、上記特定ユーザーの獲得数量が上記基準値を超えたときには、上記基準値を遊技媒体の基本数量とする点に特徴を有する。
【手続補正６】
【補正対象書類名】明細書
【補正対象項目名】０００９
【補正方法】変更
【補正の内容】
【０００９】
第４の発明は、演算部が算出した遊技媒体の基本数量を貸し出し可能数量としてユーザー特定情報に対応づけて記憶する貸し出し可能数量記憶部と、ユーザー特定情報を検出するとともに上記貸し出し可能数量の範囲で遊技媒体を払い出す払い出し手段を備えた点に特徴を有する。
第５の発明は、プリンタを備え、このプリンタから上記基本数量と上記景品交換数量とを区別して両者を出力する点に特徴を有する。
【手続補正７】
【補正対象書類名】明細書
【補正対象項目名】００１５
【補正方法】変更
【補正の内容】
【００１５】
また、上記基本数量とは、上記基準値と獲得数量とに応じて決まる数量であり、具体的には、次のようにして算出する。
遊技媒体の獲得数量が、上記基準値以下のときには、全ての獲得数量を基本数量とし、獲得数量が基準値を超えたときには、基準値を基本数量とする。つまり、遊技媒体の獲得数量が、基準値よりも多い場合には、獲得数量を、基本数量と、それ以外とに分けて管理することになる。そして、基本数量と、それ以外の数量とによって、サービスの種類を変えて対応することができるようにしている。
【手続補正８】
【補正対象書類名】明細書
【補正対象項目名】００２２
【補正方法】変更
【補正の内容】
【００２２】
ステップＳ１０７で、獲得数量と上記基準値とを対比する。獲得数量が基準値以下の場合にはステップＳ１０８へ進み、獲得数量が基本数量となる。例えば、ＩＤ＝１のユーザーの獲得数量が１５００円の場合には、基本数量が１５００円になる。そして、ステップＳ１１１へ進み、基本数量の値を出力する。
一方、獲得す量が基準値を超えた場合には、ステップＳ１０９へ進み、基準値を基本数量とし、ステップＳ１１０で、獲得数量のうち基本数量を引いた分を景品交換数量とする。つまり、上記ＩＤ＝１のユーザーの獲得数量が８０００円の場合には、２０００円が基本数量であり、６０００円が景品交換数量である。そして、ステップＳ１１１へ進み、基本数量および、景品交換数量を出力する。
【手続補正９】
【補正対象書類名】明細書
【補正対象項目名】００２３
【補正方法】変更
【補正の内容】
【００２３】
なお、ステップＳ１１１では、基本数量及び景品交換数量をプリントしたシートを計数機８から出力するものとする。また、上記景品交換数量とは、遊技媒体の獲得数量のうち、景品と交換できる数量のことである。
そして、これら基本数量と、景品交換数量がプリントされたシートを、景品交換所へ持っていけば、上記景品交換数量に対応した景品を受け取ることができる。また、精算窓口では、上記基本数量に対応する金額を返金してもらうことができるようにしている。
【手続補正１０】
【補正対象書類名】明細書
【補正対象項目名】００３０
【補正方法】変更
【補正の内容】
【００３０】
ユーザーが、遊技を終了して手元に遊技媒体が残っていた場合、計数機８に、ＩＣカードを挿入した状態で、遊技媒体を投入し、図６に示す手順で精算を行う。
図６のステップＳ２０１で、計数機８が、ユーザーＩＤを検出し、ステップＳ２０２で、投入された遊技媒体数を計数する。
なお、この第２実施例においても、基準値を貸し出し数量と等しく設定し、基本数量の算出手順も第１実施例と同様である。図６のステップＳ２０３からステップＳ２１０までは、図４に示す第１実施例のステップＳ１０３からステップＳ１１０までと同じなので、ここでは、これらのステップの説明は省略する。
【手続補正１１】
【補正対象書類名】明細書
【補正対象項目名】００３４
【補正方法】変更
【補正の内容】
【００３４】
【発明の効果】
第１から第５の発明によれば、ユーザーが獲得した遊技媒体数を、基本数量とその他の数量とに分けて管理することができる。それにより、遊技媒体を獲得したユーザーに対してのサービスを、多様化して、より魅力的なものにすることができる。
第２の発明によれば、遊技媒体の基本数量が、貸し出し数量を限度として設定される。そのため、基本数量に対するサービスを、玉貸し数量の多い得意顧客に対して、より提供しやすくなる。
【手続補正１２】
【補正対象書類名】明細書
【補正対象項目名】００３５
【補正方法】変更
【補正の内容】
【００３５】
第３、第４及び第５の発明によれば、基本数量分を次回以降の貸し出し可能数量として貯めておくことができる。
第３の発明では、ユーザーが携帯する記憶媒体に貸し出し可能数量を記憶するので、遊技場の記憶部に記憶させておく必要がない。また、記憶部を共通にしていない別の遊技場間で、上記貸し出し可能数量を共通に利用するようにもできる。
第５の発明では、シートとして出力できる。
【手続補正１３】
【補正対象書類名】図面
【補正対象項目名】図４
【補正方法】変更
【補正の内容】
【図４】
2003290536.tif 000001
【手続補正１４】
【補正対象書類名】図面
【補正対象項目名】図６
【補正方法】変更
【補正の内容】
【図６】
2003290536.tif 000002